(57)【特許請求の範囲】
【請求項１】
印刷要求に基づいて、印刷用画像データを生成する画像データ生成部と、前記印刷用画像データの生成に用いられる補正データを所定のタイミングで生成する補正データ生成部と、印刷対象の印刷用画像データの指定及び後処理の実行／不実行の指定を含む印刷ジョブを登録するジョブ登録部と、該ジョブ登録部により登録された印刷ジョブが、前記後処理の実行を指定している場合において、当該後処理を実行可能な条件が満たされないとき、当該後処理をキャンセルして印刷を継続するか否かの問い合わせを行いユーザに選択入力させる入力処理部と、を備え、
前記印刷要求に基づいて前記ジョブ登録部により登録された印刷ジョブが前記後処理の実行を指定しており前記実行可能な条件を満たさない場合、且つ、前記問い合わせに対し前記継続の選択入力があった場合に、
前記後処理がキャンセルされたことを示すキャンセル情報を記憶すると共に、前記後処理を実行せずに印刷を行い、
該印刷の完了前に前記補正データ生成部により前記補正データが更新されると、前記ジョブ登録部は、該更新後に当該印刷ジョブを削除し、前記更新された補正データを用いた新しい印刷用画像データで残りの印刷を行う別の印刷ジョブとして、前記後処理の不実行を指定する印刷ジョブを、前記キャンセル情報に基づいて登録することを特徴とする画像処理装置。
【発明の詳細な説明】
【技術分野】
【０００１】
本発明は、画質調整機能及びステープル処理機能等の後処理機能を有する画像処理装置に関する。
【背景技術】
【０００２】
複合機（ＭＦＰ：Multi-functional peripheral）等の印刷装置を用いて印刷を行う場合、例えば、印刷装置が、ＰＤＬ（Page Description Language）で記述された印刷要求を、クライアント装置であるパーソナルコンピュータ（ＰＣ：Personal Computer）から受信し、ＲＩＰ（Raster Image Processor）によりページ毎のビットマップデータを生成し、このビットマップデータに基づき印刷を行う。
また、印刷装置では、感光体や現像剤の劣化や環境条件の変化などの影響を受け継続使用により印刷画質が変化する。したがって、ビットマップデータを生成する前にプロセスコントロールやプロコン等とも呼ばれる画質調整を実行し、得られた補正データに基づいて、ビットマップデータの生成を行っている。
【０００３】
ビットマップデータは、電子ソート機能やＲＩＰ−ＯＮＣＥ等により複数部印刷する場合、繰り返し利用される。しかし、このように繰り返し利用すると、時間の経過と共に、感光体の劣化等により印刷画質が変化する。これを解決するため、特許文献１に開示の印刷装置では、ビットマップデータを生成した時に用いた補正データを記憶しておき、該ビットマップに基づく印刷を行う際、印刷時に再度画質調整を実行し新しい補正データを取得し、両補正データが大きく異なる場合、新しい補正データに基づき再度ビットマップデータを生成する。
【０００４】
また、近年の印刷装置には、ステープル処理、パンチ処理、折り処理等の後処理を施すためのフィニッシャが接続されるものもあり、ユーザは、印刷の際それらの処理を実行するようＰＣ等から指定できる。しかしながら、これらの処理の実行には条件がある。例えば、一度にステープル可能な枚数には上限があるため、ステーブル処理を実行するためには一部あたりの印刷枚数は所定枚数以下である必要がある。この条件を満たさない場合は、図６に示すような画面Ｐを印刷装置の表示部に表示し、印刷を中止するか、ステープル処理をキャンセルして印刷を継続させるかの選択をユーザに行わせる。後者が選択された場合、印刷を継続する。この選択は、１の印刷ジョブ内では有効になっており、そのため、１つの印刷ジョブで複数部数印刷する場合、部数毎に図６の画面Ｐを表示しユーザに選択させることがないようになっている。
【先行技術文献】
【特許文献】
【０００５】
【特許文献１】特開２００５−２２２９８号公報
【発明の概要】
【発明が解決しようとする課題】
【０００６】
現在、ビットマップデータを繰り返し利用して複数部数の印刷を行う際に、所定のタイミングで、例えば、所定の印刷枚数毎に、画質調整を実施し新たに補正データを取得しビットマップデータを再生成し、以後、再生成したビットマップデータを用いて印刷する方法が考えられている。この方法では、ビットマップデータを再生成する際に印刷ジョブを停止し削除し、再生成したビットマップデータでの残りの印刷は新しい印刷ジョブとして行われる。これは印刷装置のハードウェアを動作させるためのＰＣＵに印刷指令を行う「印刷サービス」の開発が容易となるためである。
しかしながら、この構成では、後処理が実行できないような印刷要求が入力された場合、ビットマップデータを再生成する毎にすなわち印刷ジョブ毎に、図６の画面Ｐの表示を行ったりしてユーザに印刷の継続を問い合わせることとなり、ユーザにとっては煩わしい。
この点に関し、特許文献１には何ら開示も示唆もない。
【０００７】
本発明は、上記問題に鑑み、所定のタイミングで画質調整を行い、印刷用出力画像データを再生成し、該再生成前の印刷ジョブを削除し、再生成後の印刷ジョブを再生成前の印刷ジョブとは別のものとして印刷を実行させると共に、ユーザが設定した印刷設定が後処理可能条件を満たさない場合に、後処理をキャンセルし印刷を継続するか否かをユーザが選択でき、また、煩わしい操作が少ない画像処理装置を提供することを目的とする。
【課題を解決するための手段】
【０００８】
上記課題を解決するために、本発明の第１の技術手段は、画像処理装置であって、印刷要求に基づいて、印刷用画像データを生成する画像データ生成部と、前記印刷用画像データの生成に用いられる補正データを所定のタイミングで生成する補正データ生成部と、印刷対象の印刷用画像データの指定及び後処理の実行／不実行の指定を含む印刷ジョブを登録するジョブ登録部と、該ジョブ登録部により登録された印刷ジョブが、前記後処理の実行を指定している場合において、当該後処理を実行可能な条件が満たされないとき、当該後処理をキャンセルして印刷を継続するか否かの問い合わせを行いユーザに選択入力させる入力処理部と、を備え、前記印刷要求に基づいて前記ジョブ登録部により登録された印刷ジョブが前記後処理の実行を指定しており前記実行可能な条件を満たさない場合、且つ、前記問い合わせに対し前記継続の選択入力があった場合に、前記後処理がキャンセルされたことを示すキャンセル情報を記憶すると共に、前記後処理を実行せずに印刷を行い、該印刷の完了前に前記補正データ生成部により前記補正データが更新されると、前記ジョブ登録部は、該更新後に当該印刷ジョブを削除し、前記更新された補正データを用いた新しい印刷用画像データで残りの印刷を行う別の印刷ジョブとして、前記後処理の不実行を指定する印刷ジョブを、前記キャンセル情報に基づいて登録することを特徴としたものである。
【発明の効果】
【０００９】
本発明によれば、印刷用出力画像データを再生成前の印刷ジョブ中において、後処理の実行をキャンセルして印刷を継続することが選択された場合に、再生成後の印刷ジョブにおいて、ユーザに問い合わせることなく、後処理の実行をキャンセルして印刷を継続でき、ユーザの煩わしい操作を低減できる。
【図面の簡単な説明】
【００１０】
【図１】本発明の画像処理装置の一例である印刷装置の構成を説明する図である。
【図２】図１の印刷装置のソフトウェアブロック図である。
【図３】図１及び図２の印刷装置の印刷を行うための具体的な処理について説明する図である。
【図４】図１及び図２の印刷装置の印刷を行うための具体的な処理について説明する他の図である。
【図５】図１及び図２の印刷装置の印刷を行うための具体的な処理について説明する他の図である。
【図６】ユーザが指定した後処理をキャンセルして印刷を継続するか否かを問い合わせる画面の一例を示す図である。
【発明を実施するための形態】
【００１１】
以下、本発明の画像処理装置について、印刷装置として構成した例で説明する。
図１は、本発明の画像処理装置の一例である印刷装置の構成、及び、該印刷装置と外部端末よりなる印刷システムの構成を説明する図である。
図１に示す印刷装置１は、ＬＡＮ（Local Area Network），ＷＡＮ（Wide Area Network），インターネット等のネットワークＮを介してＰＣ等の外部端末２や、不図示のその他の外部端末と接続されている。印刷装置１とネットワークＮとの接続は、有線、無線のいずれでもよい。
【００１２】
印刷装置１は、ＣＰＵ（Central Processing Unit）１１と、メモリ１２と、ハードディスクドライブ（ＨＤＤ）１３と、画像形成部１４と、後処理部１５と、表示部１６と、操作部１７と、を備えている。
ＣＰＵ１１は、メモリ１２に記憶されている様々なプログラムを実行することができる。メモリ１２は、印刷装置１における画像処理に用いるプログラム等の各種プログラムを格納する。メモリ１２は、例えば、ＲＡＭ（Random Access Memory）、ＲＯＭ（Read Only Memory）、ＤＲＡＭ（Dynamic Random Access Memory）、ＳＲＡＭ（Static Random Access Memory）、ＶＲＡＭ（Video RAM）等から構成される。
【００１３】
ＨＤＤ１３は、印刷装置１が作成するビットマップ画像や一時的に保存したり、後述の後処理可能な条件の情報等の各種情報を保存したりする記憶装置である。記憶装置は、ハードディスクドライブに限られず、情報を保存することができるものであればよく、例えば、ＲＡＭ、ＲＯＭ、ＤＲＡＭ、ＳＲＡＭ、ＶＲＡＭ等でもよい。画像形成部１４は、ネットワーク２を介して取得されるデータを、コピー用紙、厚紙、ＯＨＰフィルムなどの記録媒体上に電子写真方式により画像を形成する装置である。後処理部１５は、画像が形成された記録媒体にステープル処理、パンチ処理、製本処理等の後処理をする。表示部１６は、液晶表示装置等からなり、各種画面を表示する。操作部１７は、テンキーを含むキー群やタッチパネル等からなり、ユーザからの入力操作を受け付ける。
【００１４】
外部端末２は、操作入力を行うキーボードやマウス、画面を表示するディスプレイなどにより構成される。ネットワークＮを介して印刷装置１に接続される外部端末２を操作することにより、外部端末２から印刷するデータを印刷装置１に送信し、印刷装置１が記録媒体上に画像を形成することができる。外部端末２から画像形成を行う情報を画像処理装置１に送信して、画像形成を行う場合には、外部端末２が、文書ファイルや画像ファイルなどの印刷する元のデータをＰＣＬ等のＰＤＬにより表した印刷要求に変換し、当該印刷要求をネットワーク２を介して印刷装置１に送信する。印刷要求には、印刷するページ数の情報、印刷部数の情報、ステープル処理を行うか否かの情報等の後処理に関する情報が含まれる。
【００１５】
印刷装置１は、外部端末２から印刷要求を受け取ると、ＲＩＰ等により印刷要求を解析し、ビットマップデータをページ毎に得る。そして、印刷装置１は、ビットマップデータに基づいて、画像形成部１４が記録媒体上に画像形成を行う。また、印刷要求内の後処理に関する設定情報に基づいて、画像形成された記録媒体に後処理部１５が後処理を施す。なお、ビットマップデータは本発明の印刷用出力画像データの一例であり、他の形式のデータであってもよい。
【００１６】
次に、図１を参照し、図２に基づいて、図１の印刷装置１の印刷を行うための処理について説明する。なお、本発明は、後処理の実行を指定する印刷要求が入力されたときの処理に特徴があるものであるため、後処理の実行が指定されていない印刷要求が入力された場合の図１の印刷装置の動作については、その説明を省略する。
【００１７】
図２は図１の印刷装置１のソフトウェアブロック図である。印刷装置１は、図示するように、プリンタアプリ１ａ、印刷ドライバ１ｂ、印刷サービス１ｃ、プロセスコントロールユニット（ＰＣＵ）１ｄ、プロセスコントロールサービス１ｅ、ユーザインタフェース（ＵＩ）モジュール１ｆを備える。なお、各構成部の一部または全部はハードウェアでも実現可能である。
【００１８】
プリンタエミュレーションとも呼ばれるプリンタアプリ１ａは、本発明の「画像データ生成部」であり、外部端末２から入力されたＰＤＬデータ等の印刷要求を解釈してページ毎のビットマップデータを生成してＨＤＤ１３に保存し、さらに、該ビットマップデータを、印刷枚数情報や、印刷部数情報、後処理に関する設定情報と共に印刷ドライバ１ｂに出力する。
印刷ドライバ１ｂは、本発明の「ジョブ登録部」であり、プリンタアプリ１ａが生成したビットマップデータを印刷する印刷ジョブを印刷サービス１ｃに登録する。印刷ジョブにより、印刷枚数及び印刷部数の設定、後処理の実行／不実行の設定を含む後処理に関する設定等も指定される。
【００１９】
印刷サービス１ｃは、印刷ジョブに基づいて、ＰＣＵ１ｄに印刷指令を行う。
ＰＣＵ１ｄは、印刷装置１の画像形成部１４や後処理部１５を構成するハードウェアを動作させるためのものである。
プロセスコントロールサービス１ｅは、本発明の「補正データ生成部」であり、一定時間もしくは一定枚数ごと等の所定のタイミングで画質調整要求を行い、例えば、画質調整用のトナーパッチの反射濃度に基づいて、プリンタアプリ１ａがビットマップデータの生成の際に用いる補正データを生成しＨＤＤ１３に保存する。
【００２０】
ＵＩモジュール１ｆは、本発明の「入力処理部」であり、表示部１６への表示、操作部１７へのユーザ入力を処理する。印刷サービス１ｃは、印刷ドライバ１ｂが登録した印刷ジョブが後処理の実行を指定しているとき、当該印刷ジョブが後処理可能な条件、例えばステープル処理可能な条件を満たすか否か判定し、満たさない場合、ＵＩモジュール１ｆに以下のような動作をさせる。すなわち、図６の画面Ｐ等を表示し、後処理をキャンセルして印刷を継続するか否かの問い合わせを行いユーザに選択入力させる。
【００２１】
後処理の実行を指定する印刷要求が印刷装置１に入力されると、印刷ドライバ１ｂは、プリンタアプリ１ａが生成したビットマップデータを印刷対象として指定すると共に後処理の実行を指定する印刷ジョブを印刷サービス１ｃに登録し印刷を行わせる。なお、印刷ジョブは、印刷枚数や印刷枚数も指定する。
印刷サービス１ｃは、登録された印刷ジョブが後処理の実行を指定しているので、当該印刷ジョブが後処理可能な条件を満たさない場合、後処理をキャンセルして印刷を継続するか否かの問い合わせをＵＩモジュール１ｆに行わせユーザに選択入力させる。
【００２２】
そして、上記問い合わせに対し継続の選択入力があった場合、印刷ドライバ１ｂは、後処理がキャンセルされたことを示すキャンセル情報をＨＤＤ１３に保持させると共に、印刷サービス１ｃに後処理を実行せずに印刷を行わせる。
この印刷が完了する前に、累積印刷枚数が所定枚数超えるなどしてプロセスコントロールサービス１ｅが画質調整を行い補正データを更新すると、印刷ドライバ１ｂは、該更新後に、継続中であった印刷ジョブを削除し、更新された補正データに基づく新しいビットマップデータをプリンタアプリ１ａに生成させる。そして、印刷ドライバ１ｂは、新しいビットマップデータで残りの印刷を行う新しい印刷ジョブとして、後処理の不実行を指定する印刷ジョブを、ＨＤＤ１３に保持されているキャンセル情報に基づいて、登録する。後処理の実行を指定する印刷要求が入力されているものの、この新しい印刷ジョブに基づく印刷の際に、後処理をキャンセルして印刷を継続するか否かの問い合わせは行われない。
【００２３】
このように印刷装置１では、当初の印刷ジョブで後処理をキャンセルしての印刷の継続が一度選択された場合、新しい印刷ジョブで上記選択を促す問い合わせが行われることがなく、ユーザにとって煩わしくない。なお、本発明と異なりキャンセル情報を保持しない場合、当初の印刷ジョブで後処理をキャンセルしての印刷の継続が一度選択されていたとしても、再生成されたビットマップデータで再生成前の印刷で残った部分の印刷を行う新しい印刷ジョブとして、後処理の実行を指定する印刷ジョブを登録するため、上述の問い合わせが再度行われ、ユーザにとって煩わしい。
【００２４】
続いて、図３乃至図５に基づいて、印刷装置１のより具体的な処理について説明する。
【００２５】
図３は、複数部の印刷を指定し後処理の実行を指定する印刷要求が入力された場合の図２の印刷装置１の処理を説明する図である。
印刷装置１では、Ｎ部の印刷を指定すると共に後処理としてのステープル処理の実行を指定する印刷要求が入力されると、図示するように、プリンタアプリ１ａが、ＨＤＤ１３に予め記憶されている補正データを用いて、ＲＩＰによるビットマップデータの生成を開始し、１ページ目から順に、完了するまで、印刷ドライバ１ｂに出力する（ステップＳ１）。ビットマップテータと共に、印刷枚数情報や、印刷部数情報、ステープル処理に関する設定情報も印刷ドライバ１ｂに送信される。
【００２６】
印刷ドライバ１ｂは、印刷するビットマップデータと、印刷枚数、印刷部数（Ｎ部）、ステープル処理に関する設定等を指定する印刷ジョブを印刷サービス１ｃに登録する（ステップＳ２）。登録が完了すると、その旨を知らせる情報が、印刷サービス１ｃより印刷ドライバ１ｂに送信される（ステップＳ３）。
【００２７】
印刷サービス１ｃは、登録された印刷ジョブに基づく印刷が開始されるようコマンドをＰＣＵ１ｄに送信し（ステップＳ４）、ＰＣＵ１ｄに印刷を開始させる。この送信の際、ステープル処理の実行が指定されていることを示す情報もＰＣＵ１ｄに送信される。
ＰＣＵ１ｄは、ステープル処理の実行が指定されている場合、印刷中、印刷枚数をカウントし、一部あたりの印刷枚数が、ステープル処理可能な枚数すなわち後処理を実行可能な条件を満たすか否か判定しており、処理可能枚数を超え上記条件を満たさない場合に、印刷を停止し、ステープル処理可能枚数オーバーによる印刷停止イベントを印刷サービス１ｃに送信する（ステップＳ５）。なお、上記ステープル処理可能な枚数等の後処理を実行可能な条件の情報は、例えば、ＨＤＤ１３に記憶されている。また、図示は省略するが、一部あたりの印刷枚数が上記上限枚数を超えない場合、一部（一部数）の印刷が終了する毎に、ＰＣＵ１ｄの制御の下、ステープル処理が行われる。
【００２８】
印刷サービス１ｃは、ステープル処理可能枚数オーバーによる印刷停止イベントを受信すると、ユーザに印刷継続可否の判断を行わせるために、ＵＩモジュール１ｆにユーザ問い合わせの要求を出す（ステップＳ６）。要求を受けたＵＩモジュール１ｆでは、図６のような画面Ｐを表示部１６に表示し、ステープル処理をキャンセルして印刷を継続するか否かについてのユーザ入力を受ける。
【００２９】
ＵＩモジュール１ｆは、ユーザがステープル処理をキャンセルして印刷を継続する入力を行った場合、その旨を示す情報を印刷サービス１ｃに通知する（ステップＳ７）。
それに対し、印刷サービス１ｃは、ステープル処理がキャンセルされた旨を示すキャンセル情報を印刷ドライバ１ｂに送信し（ステップＳ８）、そのキャンセル情報を保持記憶させると共に、ステープル処理の実行をキャンセルするよう設定し、その後、印刷が再開されるようコマンドをＰＣＵ１ｄに送信し（ステップＳ９）、ＰＣＵ１ｄに印刷を再開させる。このコマンド送信の際、ステープル処理が設定されていないことを示す情報もＰＣＵ１ｄに送信される。
【００３０】
図４は、図３の処理に続く処理であって、ステープル処理をキャンセルして印刷を継続している時に画質調整を行う場合の処理を説明する図である。
印刷再開のコマンドが印刷サービス１ｃから「ＰＣＵ１ｄに送信されると（ステップＳ９）、ＰＣＵ１ｄによる印刷が再開され、該印刷中は、プロセスコントロールサービス１ｅが、所定のタイミングで、例えば、前回の画質調整を行った時からの累計印刷枚数が所定の印刷枚数となった時に、画質調整要求をＰＣＵ１ｄに送信する（ステップＳ１０）。ここでは、Ｍ部目（ただしＭ＜Ｎ）の印刷中に画質調整要求が送信されたものとする。
【００３１】
この要求によりＰＣＵ１ｄは、印刷を一時停止し、画質調整モードに入り、プリンタアプリ１ａがビットマップデータ生成に用いる新たな補正データを生成させる。また、ＰＣＵ１ｄは、画質調整要求に応じて、印刷停止イベントを印刷サービス１ｃに送信する（ステップＳ１１）。
ＰＣＵ１ｄによる画質調整の前後には、プロセスコントロールサービス１ｅは、印刷ドライバ１ｂに対し、画質調整開始イベントと、画質調整完了イベントをそれぞれ送信する（ステップＳ１２、Ｓ１３）。
【００３２】
印刷ドライバ１ｂは、画像調整完了イベントを受信すると、印刷中であったＭ部目の印刷が完了するまで印刷を行うよう要求する部完印刷停止要求を印刷サービス１ｃに行う（ステップＳ１４）。印刷サービス１ｃは、該要求に沿った印刷が開始されるようコマンドをＰＣＵ１ｄに送信し（ステップＳ１５）、該印刷が完了すると、ＰＣＵ１ｄから印刷サービス１ｃに部完印刷停止イベントが送られる（ステップＳ１６）。
印刷サービス１ｃは、部完印刷停止イベントを受信すると部完停止完了イベントを印刷ドライバ１ｂに送出する（ステップＳ１７）。そして、印刷ドライバ１ｂは、ビットマップデータの再生成を要求する再ＲＩＰ要求をプリンタアプリ１ａに行う（ステップＳ１８）。また、印刷ドライバ１ｂは、印刷サービス１ｃが管理していた印刷ジョブを削除させ（ステップＳ１９）、１つの印刷ジョブとして終了させる。印刷が終了している部数の情報は、印刷ドライバ１ｂにより保持される。
【００３３】
プリンタアプリ１ａは、上記再ＲＩＰ要求に応じて、新しい補正データに基づくビットマップデータを生成し、印刷枚数情報や、印刷部数情報、後処理に関する設定情報と共に、印刷ドライバ１ｂに送信する（ステップＳ２０）。
印刷ドライバ１ｂは、プリンタアプリ１ａからの各種情報と、キャンセル情報と、印刷が終了している部数の情報とに従って、以下の新しい印刷ジョブを印刷サービス１ｃに登録する（ステップＳ２１）。すなわち、再生成したビットマップデータに基づく印刷をステープル処理せずに残りの部数（Ｎ−Ｍ部）分行う印刷ジョブである。該新しい印刷ジョブの登録が完了すると、その旨を知らせる情報が、印刷サービス１ｃより印刷ドライバ１ｂに送信される（ステップＳ２２）。
上述のようにＭ部目の印刷か完了してから印刷を停止するのは、Ｍ部目の途中で停止し、再生成したビットマップデータを使用して残りの印刷を行うのは、印刷制御が複雑になるためである。
【００３４】
図５は、図４の処理に続く処理であって、ビットマップデータの再生成後の印刷を行う際の処理を説明する図である。
印刷サービス１ｃは、図示するように、新しい印刷ジョブの登録完了の旨を知らせる情報を送信すると（ステップＳ２２）、登録された新しい印刷ジョブに基づく印刷が開始されるようコマンドをＰＣＵ１ｄに送信する（ステップＳ２３）。該印刷が全て完了すると、印刷停止イベントがＰＣＵ１ｄから印刷サービス１ｃに送信され（ステップＳ２４）、それに対し、印刷サービス１ｃは印刷ドライバ１ｂにジョブ印刷完了通知を行う（ステップＳ２５）。印刷ドライバ１ｂは、該通知に応じて、印刷サービス１ｃに登録した新しい印刷ジョブを削除させ（ステップＳ２６）、プリンタアプリ１ａにビットマップデータの消去を要求する（ステップＳ２７）。該要求に応じて、プリンタアプリ１ａがビットマップデータを削除する。
このように、ビットマップデータを再生成した後の印刷中に、ステープル処理をキャンセルして継続するか否かの問い合わせが行われることがなく、つまり、本発明による印刷では上記問い合わせは一度だけであり、ユーザの煩雑な操作を軽減できる。また、上記問い合わせのための印刷停止も一度だけであるから、印刷完了までの時間を短縮することができる。
【符号の説明】
【００３５】
１…画像処理装置（印刷装置）、１ａ…プリンタアプリ、１ｂ…印刷ドライバ、１ｃ…印刷サービス、１ｄ…ＰＣＵ、１ｅ…プロセスコントロールサービス、１ｆ…ＵＩモジュール。
【図１】
0005555118.tif 000002
【図２】
0005555118.tif 000003
【図３】
0005555118.tif 000004
【図４】
0005555118.tif 000005
【図５】
0005555118.tif 000006
【図６】
0005555118.tif 000007